(57)【特許請求の範囲】
【請求項１】
利用者の属性情報と利用者ＩＤとが関連付けられた顧客情報を格納する顧客情報格納手段を備え、利用者が当該利用者ＩＤを少なくとも記憶しているＩＤ媒体を用いて所定の楽曲を選択した場合に、当該選曲者を上記顧客情報格納手段より特定するカラオケシステムであって、
利用者の所持する前記ＩＤ媒体より、少なくとも利用者ＩＤを読み取るＩＤ媒体読取手段と、
所定数の宣伝アイテムが含まれた宣伝効果映像を所定数格納する宣伝効果映像格納手段と、
楽曲及び利用者の所定の属性情報と前記宣伝効果映像とが関連付けられた映像対応テーブルを備え、前記読み取られた利用者ＩＤに基づき、前記顧客情報格納手段より当該利用者の属性情報を取得し、前記選択された楽曲及びその選曲者の所定の属性情報に基づいて上記映像対応テーブルより特定される関連の宣伝効果映像を前記宣伝効果映像格納手段より抽出して背景映像として表示させる映像抽出処理手段と、
を有することを特徴とするカラオケシステム。
【請求項２】
請求項１記載のカラオケシステムであって、前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像であることを特徴とするカラオケシステム。
【請求項３】
請求項１記載のカラオケシステムであって、前記宣伝効果映像格納手段に格納されている宣伝効果映像は、前記楽曲格納手段に格納されているそれぞれの楽曲に対し、各楽曲に関連する前記宣伝アイテムそのものの広告映像であることを特徴とするカラオケシステム。
【請求項４】
請求項１〜３の少なくとも何れかに記載のカラオケシステムであって、
前記宣伝効果映像格納手段の他に、前記楽曲格納手段に格納されているそれぞれの楽曲に関連する宣伝アイテムを含まない通常楽曲映像を所定数格納する通常楽曲映像格納手段を備え、
前記映像抽出処理手段は、前記利用者に上記楽曲映像か前記宣伝効果映像かを選択させる映像選択手段を備え、選択された通常楽曲映像若しくは宣伝効果映像を背景映像として表示させることを特徴とするカラオケシステム。
【発明の詳細な説明】
【技術分野】
【０００１】
本発明は、利用者のカラオケによる歌唱の際に背景映像を表示させるカラオケシステムに関する。
【背景技術】
【０００２】
近年、通信カラオケの施設が全国的に広がりを見せ、記録技術の発展や表示装置の発展、また通信技術の発展により利用者に対して種々のサービスを提供することができるようになってきている。このようなカラオケシステムにおいては、歌唱楽曲の背景映像を利用して歌唱行為を喚起し、また、一方で映像提供者側においても背景映像の表示による映像内容についての宣伝効果の向上が望まれる。
【０００３】
従来、カラオケシステムにおける映像表示で特殊効果を図るものとして、広告映像がある。この広告映像は、単に商品等を表示させるもので、カラオケ利用者の歌唱しているときには、当該歌唱楽曲の背景映像を表示し、楽曲選択前、歌唱楽曲間に時間がある場合や総ての歌唱楽曲が終了した後に、当該広告映像を表示させるものが一般的である。そこで、楽曲歌唱の際にも広告映像を表示させるものが、以下の特許文献で提案されている。
【０００４】
【特許文献１】特開平８−２７２３４１号公報
【特許文献２】特表２００３−５２２４８２号公報
【０００５】
上記特許文献１には、広告端末装置に関して、複数の広告映像群データを複数のジャンルに対応させて分類記憶させておき、カラオケ用映像データをカラオケ用モニタに映し出している時に、カラオケ用モニタとは別の広告用モニタに、カラオケ用映像データの属するジャンルに対応する広告映像群データの中から広告映像データを読み出て映し出すということが開示されている。
【０００６】
また、上記特許文献２には、リモートコントロールユニット上への拡張されたコンテンツ情報の表示方法及びシステムに関して、ビデオ受信機の他にリモートコントロールユニットにディスプレイを備え、リモートコントロールユニットのディスプレイ上に広告等の情報を表示させることが開示されている。
【発明の開示】
【発明が解決しようとする課題】
【０００７】
しかしながら、上記楽曲歌唱間や歌唱終了後に歌唱者や同伴者が広告映像のみを視聴することは少なく広告効果が減少する傾向となるという問題があり、また、上記特許文献１，２に提案されているように歌唱用の映像表示とは別の広告表示用のモニタやディスプレイで広告映像を表示させることは、歌唱中であることもあって、広告映像のみを視聴するということも少なく、この場合においても広告効果が減少する傾向になるという問題がある。
【０００８】
そこで、本発明は上記課題に鑑みなされたもので、歌唱者による歌唱中であっても宣伝効果映像の内容を同伴者等の利用者に視聴させて宣伝効果を向上させるカラオケシステムを提供することを目的とする。
【課題を解決するための手段】
【０００９】
上記課題を解決するために、請求項１の発明では、利用者の属性情報と利用者ＩＤとが関連付けられた顧客情報を格納する顧客情報格納手段を備え、利用者が当該利用者ＩＤを少なくとも記憶しているＩＤ媒体を用いて所定の楽曲を選択した場合に、当該選曲者を上記顧客情報格納手段より特定するカラオケシステムであって、利用者の所持する前記ＩＤ媒体より、少なくとも利用者ＩＤを読み取るＩＤ媒体読取手段と、所定数の宣伝アイテムが含まれた宣伝効果映像を所定数格納する宣伝効果映像格納手段と、楽曲及び利用者の所定の属性情報と前記宣伝効果映像とが関連付けられた映像対応テーブルを備え、前記読み取られた利用者ＩＤに基づき、前記顧客情報格納手段より当該利用者の属性情報を取得し、前記選択された楽曲及びその選曲者の所定の属性情報に基づいて上記映像対応テーブルより特定される関連の宣伝効果映像を前記宣伝効果映像格納手段より抽出して背景映像として表示させる映像抽出処理手段と、を有する構成とする。
【００１０】
請求項２〜４の発明では、「前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像である」構成であり、
「前記宣伝効果映像格納手段に格納されている宣伝効果映像は、前記楽曲格納手段に格納されているそれぞれの楽曲に対し、各楽曲に関連する前記宣伝アイテムそのものの広告映像である」構成であり、
「前記宣伝効果映像格納手段の他に、前記楽曲格納手段に格納されているそれぞれの楽曲に関連する宣伝アイテムを含まない通常楽曲映像を所定数格納する通常楽曲映像格納手段を備え、前記映像抽出処理手段は、前記利用者に上記楽曲映像か前記宣伝効果映像かを選択させる映像選択手段を備え、選択された通常楽曲映像若しくは宣伝効果映像を背景映像として表示させる」構成である。
【発明の効果】
【００１１】
本発明によれば、利用者より利用者ＩＤを用いて所定の楽曲が選択され、楽曲及び各利用者の所定の属性情報と、宣伝効果映像格納手段に所定数格納されている所定数の宣伝アイテムが含まれた宣伝効果映像とが関連付けられた映像対応テーブルを参照して、選択された楽曲及びその選曲者の所定の属性情報に基づいて特定される関連の宣伝効果映像を背景映像として表示させる構成とすることにより、歌唱行為を喚起することができると共に、歌唱者による歌唱中であっても歌唱用の表示手段に宣伝効果映像を表示させて同伴者等の利用者に視聴させることができ、映像中に含まれる宣伝アイテムについての宣伝効果を向上させることができるものである。
【発明を実施するための最良の形態】
【００１２】
以下、本発明の最良の実施形態を図により説明する。本実施形態では、宣伝効果映像としてプロダクトプレイスメント映像について説明するが、楽曲格納手段に格納されているそれぞれの楽曲に関連する宣伝アイテムそのものの広告映像であっても同様に適用することができるものである。
【００１３】
図１に、本発明に係るカラオケシステムのネットワーク接続状況の模式図及びカラオケホスト装置のブロック構成図を示す。図１（Ａ）は本発明に係るカラオケシステムのネットワーク接続状況の模式図、図１（Ｂ）はカラオケホスト装置の内部構成の一例のブロック図である。
【００１４】
図１（Ａ）において、カラオケホスト装置１１は、通信ネットワーク１２を介して利用者の所定情報と関連づけられた利用者ＩＤ（利用者識別符号）を用いて歌唱させる手段を備える所定数のカラオケ演奏端末１３（１３Ａ〜１３Ｎ）を管理するもので、上記通信ネットワーク１２としては一般公衆電話回線やこれを用いたＡＤＳＬや光通信回線あるいはインターネット、さらには、ＬＡＮなどがある。
【００１５】
上記カラオケホスト装置１１は、図１（Ｂ）に示すように、少なくとも送受信手段２１、制御手段２２、データ抽出手段２３及び顧客情報格納手段である顧客ＤＢ（顧客データベース）２４を備える。顧客ＤＢ２４については図３で説明する。上記送受信手段２１は、各カラオケ演奏端末１３との通信（データ授受）を行うために、通信ネットワーク１２の通信方式と整合性をとるための例えば物理的な通信用回路やプラットフォーム等のソフトウエアにより構成される。
【００１６】
上記制御手段２２は、当該カラオケホスト装置１１を統括的に制御するもので、例えば物理的なＣＰＵに制御のためのプログラムが格納され、当該プログラムが図示しないＲＡＭ等に展開されて実行される。上記データ抽出手段２３は、例えば利用者ＩＤに基づいて、当該利用者の属性情報を顧客ＤＢ２４より抽出して送受信手段２１を介して対応のカラオケ演奏端末１３に送信させるもので、そのためのプログラムを有してＲＡＭ等に展開されて実行されるものである。
【００１７】
続いて、図２に、本発明に係るカラオケシステムにおけるカラオケ演奏端末のブロック構成図を示す。図２に示すカラオケ演奏端末１３は、主要装置としてのカラオケ装置３０を有するもので、バス３１、制御手段３２、ＲＡＭ３３、予約管理手段３４、音楽曲出力手段３５、再生制御手段３６、楽曲ＤＢ（楽曲データベース）３７、表示ファイル作成手段３８、媒体読取手段３９及び送受信手段４０，４２を適宜備え、映像抽出処理手段４２及び宣伝効果映像格納手段である宣伝効果映像ＤＢ４３を備える。
【００１８】
また、当該カラオケ装置３０に有線及び無線で外部接続されるものとして、表示手段４４、ミキシングアンプ４５、マイク４６、スピーカ４７及び遠隔入出力端末４８を備える。そして、上記媒体読取手段３９に対応したＩＤ媒体４９が利用者（顧客）において所持される。なお、上記各構成について、本発明の要旨と直接関連しない要素部分であっても、従前のカラオケ装置においても大部分が適用可能であることを示すために、装置全体を説明する。
【００１９】
制御手段３２は、このシステムを統括的に制御するもので、例えば物理的なＣＰＵに制御のためのプログラムが格納され、当該プログラムはＲＡＭ３３等に展開されて実行される。当該ＲＡＭ３３は、種々のプログラムを展開、実行させるための作業領域としての役割をするものであり、例えば半導体メモリで構成され、仮想的にハードディスク上に構築される場合をも含む概念である。
【００２０】
ここで、相前後するが、楽曲ＤＢ３７は、例えばハードディスク（ＨＤＤ）等の記憶装置であり、少なくとも、演奏データ（ファイル）及びテロップデータ（ファイル）で構成される楽曲データ（ファイル）について楽曲コードをファイル名としてそれぞれ備える。演奏データ（ファイル）はそれぞれの楽曲の演奏をデジタル的なデータであり、テロップデータ（ファイル）は演奏データに対応した楽曲の歌詞文字データである。
【００２１】
上記予約管理手段３４は、利用者が選択した楽曲名と対応する楽曲コードを記憶しておき、順番に歌唱対象とするもので、そのためのメモリ領域を備え、当該メモリ領域に記憶されるデータは上記制御手段３２により制御される。すなわち、選択された楽曲コードにより上記楽曲ＤＢ３７より曲名やインデックス等を読み出して記憶させておくもので、予約状況を表示させるときには曲名をも含められる。また、当該予約管理手段３４は、ここでは後述の映像抽出処理手段４２で特定された宣伝効果映像（ファイル名）が当該楽曲コードに関連付けられて記憶される。
【００２２】
上記音楽曲出力手段３５は、楽曲コードで楽曲ＤＢ３７より抽出された演奏データをデジタル再生し、アナログ変換してミキシングアンプ４５に出力するもので、そのためのプログラムがＲＡＭ３３に展開されて実行される。当該ミキシングアンプ４５は、マイク４６より入力した歌唱者の歌唱音声と、当該音楽曲出力手段３５より送られてくる演奏データをミキシングし、増幅してスピーカ４７より出力させるものである。
【００２３】
上記再生制御手段３６は、選択されて楽曲ＤＢ３７より抽出された楽曲データのうちのテロップデータ（歌詞文字データ）を当該楽曲の演奏データに同期させて表示手段４４に出力すると共に、後述の映像抽出処理手段４２で特定された宣伝効果映像データを同期させて表示手段４４に出力するもので、そのためのプログラムがＲＡＭ３３に展開されて実行される。当該表示手段４４としては例えば、ブラウン管（ＣＲＴ）ディスプレイ、液晶ディスプレイ（ＬＣＤ）、プラズマディスプレイ（ＰＤＰ）等があり、特にハイビジョン化されたディスプレイが宣伝効果映像を表示するものとして好ましい。
【００２４】
上記表示ファイル作成手段３８は、送受信手段４０を介して当該カラオケ装置３０に付帯する遠隔入出力端末４８に対して試聴用の歌詞データや予約内容を表示させるためなどのファイルデータを作成して転送するもので、そのためのプログラムがＲＡＭ３３に展開されて実行される。当該送受信手段４０は、遠隔入出力端末４８との間で有線方式ないし無線方式（ＩＲ方式やブルートゥース機構のピコネット接続方式など）を利用してデータ授受を行うためのもので、そのための回路基板およびプログラムを備える。
【００２５】
上記遠隔入出力端末４８はＧＵＩ機能を付帯し、楽曲検索手段４８Ａを備える。例えば液晶ディスプレイ（ＬＣＤ）とタッチセンサとを積層した入出力用の利用者インタフェースが搭載され、当該タッチセンサにより楽曲の選択などのデータを入力することができるものである。上記楽曲検索手段４８Ａは、例えば新曲、歌手名、曲名、ジャンルおよび履歴のそれぞれについての各楽曲情報を備え、当該楽曲名と楽曲コードとが関連付けられたテーブルを備え、利用者によって検索、選択された楽曲コードを、送受信手段４０を介して予約管理手段３４に送信して予約させるものである。
【００２６】
上記媒体読取手段３９は、利用者が所持するＩＤ媒体４９を読み取る装置である。ＩＤ媒体４９は、少なくとも利用者ＩＤを記憶し、上記媒体読取手段３９と例えば非接触でデータ授受が自在のものである。ＩＤ媒体４９としては、例えば、非接触型のＩＣカードや、携帯電話や小型モバイルコンピュータに内蔵させたＩＣカード機能回路等がある。上記送受信手段４１は、当該カラオケ装置３０と上記通信ネットワーク１２を介してデータ授受（特に利用者ＩＤに基づく当該利用者の属性情報の取得）を行うためのものであると共に、例えば遠隔入出力端末４８より所定のインターネットサイトにアクセスさせるためのもので、通信方式と整合性をとるための例えば物理的な通信用回路やプラットフォーム等のソフトウエアにより構成されるものである。
【００２７】
ここで、上記宣伝効果映像ＤＢ４３は、所定数の宣伝アイテムが含まれた宣伝効果映像を、上記楽曲ＤＢ３７に格納されている各楽曲（データファイル）に関連付けされて所定数格納するもので、当該宣伝効果映像は、当該各楽曲に関連する映像中に宣伝アイテムを組み込ませているプロダクトプレイスメント映像である。このプロダクトプレイスメント映像は、従来から、映画やテレビジョン或いはゲームの映像内に、その映像の進行と調和するように、自然の流れの中で企業の商品やサービスを組み込む手法として採用されてきたものであって、利用者にとって違和感なく商品や役務（サービス）を視認して受け入れることができるため、効果的な手法となっているものである。
【００２８】
上記映像抽出処理手段４２は、適宜、利用者ＩＤ取得手段５１、利用者属性特定手段５２、映像対応テーブル５３及び映像特定手段５４を備える。利用者ＩＤ取得手段５１は、ＩＤ媒体４９より読み取った利用者ＩＤを取得して記憶しておくもので、そのためのプログラムを備える。上記利用者属性特定手段５２は、上記取得した利用者ＩＤに基づいてカラオケホスト装置１１の備える顧客ＤＢ２４より当該利用者の属性情報を取得し、当該属性情報のうちの所定の情報（予め設定した、例えば、年齢、性別等の属性情報）を特定して記憶しておくもので、そのためのプログラムを備える。
【００２９】
上記映像対応テーブル５３は、利用者に選択された楽曲（楽曲コード）と所定数の関連する宣伝効果映像のデータ（ファイル）とが関連付けられ、当該宣伝効果映像のデータファイルに利用者の利用者ＩＤによる所定の属性情報（年齢層及び性別）が関連付けられたものである（図４で説明する）。そして、上記映像特定手段５４は、楽曲（楽曲コード）で特定された複数の宣伝効果映像のデータ（ファイル）のうち、上記利用者属性特定手段５２で特定された当該利用者の利用者ＩＤによる所定の属性情報（年齢及び性別）に基づいて上記映像対応テーブル５３を参照して歌唱中の歌詞文字データが表示されている表示手段４５に背景映像として表示させるための宣伝効果映像のデータ（ファイル）を特定するもので、そのためのプログラムを備える。
【００３０】
すなわち、当該映像抽出処理手段４２は、読み取られた利用者ＩＤに基づき、顧客ＤＢ２４より当該利用者の属性情報を取得し、当該選択された楽曲及び所定の当該属性情報に基づいて上記映像対応テーブル５３より特定される関連の宣伝効果映像を上記宣伝効果映像ＤＢ４３より抽出して表示手段４４に背景映像として再生制御手段３６を介して表示させるものである。
【００３１】
なお、図示しないが、当該カラオケ装置３０には、利用者による選択した楽曲の楽曲コードを直接入力するためのものや、演奏楽曲、歌唱音声に対する種々の調節を行うボタンやツマミ類が可変抵抗器等の電子素子に直結された操作パネルも接続され、当該操作パネルはエコーや左右バランス、スピーカ４７からの出力音量のボリウム等を備える。ところで、上記顧客ＤＢ２４は、カラオケ装置３０に備えさせ、又は当該カラオケ装置３０に接続させてもよい。また、逆に、上記楽曲ＤＢ３７、宣伝効果映像ＤＢ４３の何れか、又は両方を、適宜カラオケホスト装置１１に備えさせ、若しくは当該カラオケホスト装置１１に接続させる構成としてもよいものである。
【００３２】
ここで、図３に、図１のカラオケホスト装置の有する顧客ＤＢの一例の説明図を示す。図３において、カラオケホスト装置１１に有する顧客ＤＢ２４は、各カラオケ演奏端末１３（１３Ａ〜１３Ｎ）の各利用者が、例えば会員として予め属性情報を格納しておくもので、その属性情報としては、例えば、利用者ＩＤ、氏名、セカンドネーム、郵便番号、住所、電話、年齢、性別が含まれ、適宜、登録者の顔写真等のイメージファイル名が関連づけられたものである。当該各イメージファイルは、図示しないが、当該顧客ＤＢ２４に設けられたフォルダに格納される。
【００３３】
また、図４に、図２の映像対応テーブルの一例の説明図を示す。図４（Ａ）は映像対応テーブルの概念図、図４（Ｂ）は図４（Ａ）の映像対応テーブルを作成にあたっての目安的なものを示した一例の概念図である。図４（Ａ）において、映像対応テーブル５３は、楽曲ＤＢ３７に格納されている楽曲データ（ファイル）に対応する楽曲コードと、当該楽曲データに関連付けられた所定数の宣伝効果映像のデータファイルとの対応テーブルであり、各宣伝効果映像ファイルの属性情報として、例えば楽曲のアーチスト、当該アーチストの年齢、曲のジャンル、当該曲を聞く（又は歌唱する）年齢等から対応された年齢層及び性別が関連付けられている。これらに関連した宣伝アイテムを組み込ませた宣伝効果映像（プロダクトプレイスメント映像）が楽曲（楽曲コード）に対応された内容で予め単一又は複数作製され、宣伝効果映像データ（ファイル）として宣伝効果映像ＤＢ４３に格納しておくものである。
【００３４】
上記映像対応テーブル５３は、図４（Ｂ）に示すように、例えば楽曲内容に関連付けられた所定数の宣伝対象アイテムが組み込まれて単一又は複数作製しておいた宣伝効果映像データ（ファイル）のうち、当該宣伝対象アイテムに応じた宣伝対象の利用者の年齢層と性別とで分類し関連づけしたもので、図４（Ａ）に示すような宣伝効果映像ファイルの属性情報として付加して、利用者の属性情報（年齢層及び性別）と最終的に対応するテーブルとするものである。
【００３５】
上記宣伝アイテムの対象としては、例えば、商品（ロゴ入り商品自体）、役務（サービス表示のロゴ）、店、旅館・ホテル、企業（看板等）又は一地域（〜通りや町名、観光地等）名称（知名度向上目的）、出演者の新曲や出演映画・ドラマのタイトル（知名度向上目的）、出演者自身の名称、略称、雅号等（知名度向上目的）などがある。なお、上記利用者の属性情報として、地域性（例えば、北海道、東北地方、関東地方、関西地方、九州地方等）を要素としてもよい。
【００３６】
そこで、まず、図５に図２のカラオケ演奏端末における利用者ＩＤ読み取りの処理フローチャートを示す。図５において、利用者ＩＤの読み取りは、従前のように歌唱ログ等の取得の他に、歌唱時に背景映像として宣伝効果映像を表示させることを前提としたものであり、利用者がカラオケ装置３０の媒体読取手段３９に利用者所有のＩＤ媒体を提示したときに（ステップ（Ｓ）１）、当該媒体読取手段３９が少なくとも利用者ＩＤを読み取り、映像抽出処理手段４２の利用者ＩＤ取得手段５１に一旦記憶する（Ｓ２）。
【００３７】
映像抽出処理手段４２の利用者属性特定手段５２が、利用者ＩＤ取得手段５１が記憶した利用者ＩＤに基づき、送受信手段４１より通信ネットワーク１２を介してカラオケホスト装置１１に対し、顧客ＤＢ２４に格納されている当該利用者ＩＤに関する属性情報を要求する（Ｓ３）。カラオケホスト装置１１では、利用者ＩＤに基づく属性情報要求に応じてデータ抽出手段２３が顧客ＤＢ２４より該当の属性情報を抽出して対応のカラオケ演奏端末１３に送信する。
【００３８】
そして、カラオケホスト装置１１より送出されてきた当該利用者ＩＤに関する属性情報を受信したときに、映像抽出処理手段４２の利用者属性特定手段５２が当該属性情報を取得して必要情報を記憶する（Ｓ４）。ここでは、必要情報として、例えば性別と年齢としている。
【００３９】
続いて、図６に、図２のカラオケ演奏端末における宣伝効果映像再生の処理フローチャートを示す。図６において、まず、図５に示すように利用者ＩＤに関連する必要な属性情報を映像抽出処理手段４２の利用者属性特定手段５２に記憶されていることを前提として、例えば遠隔入出力端末４８（楽曲選択手段４８Ａ）により当該利用者による利用者ＩＤとの関連で楽曲の選択要求があり（Ｓ１１）、楽曲の選択が終了すると（Ｓ１２）、映像抽出処理手段４２の映像特定手段５４が選択された楽曲の楽曲コードから映像対応テーブル５３（図４（Ａ））を参照して所定数の宣伝効果映像ファイルを特定する（Ｓ１３）。
【００４０】
次に、当該映像特定手段５４が利用者ＩＤ取得手段５１に記憶されている当該利用者ＩＤに基づき、利用者属性特定手段５２より対応の利用者属性情報（年齢、性別）を抽出し、当該利用者属性情報により上記特定した複数の宣伝効果映像ファイルのうち、映像対応テーブル５３を参照して適応の宣伝効果映像ファイルを特定する（Ｓ１４）。当該特定された宣伝効果映像ファイルは、予約管理手段３４が選択された楽曲コード共に記憶する（Ｓ１５）。
【００４１】
そこで、予約の順番から選択された楽曲の再生を行う場合（Ｓ１６）、予約管理手段３４に記憶されている楽曲コードに基づいて、対応の楽曲データ（演奏データ、歌詞文字データ）が楽曲ＤＢ３７より抽出され、音楽曲出力手段３５に演奏データが送出されると共に、歌詞文字データが再生制御手段３６に送出され、また、記憶された対応の宣伝効果映像ファイルが宣伝効果映像ＤＢ４３より抽出されて再生制御手段３６に送出される（Ｓ１７）。
【００４２】
そして、選択された楽曲データがミキシングアンプ４５を介してスピーカ４７より再生出力されると共に、これに同期させて該当の宣伝効果映像データが上記歌詞文字データと合成された状態で背景映像として表示手段４４より再生されるものである（Ｓ１８）。
【００４３】
このように、宣伝効果映像を表示させることで歌唱行為を喚起することができると共に、歌唱者による歌唱中であっても歌唱用の表示手段４４に背景映像として宣伝効果映像を表示させて同伴者等の利用者に高確率で視聴させることができ、映像中に含まれる宣伝アイテムについての宣伝効果を向上させることができるものである。
【００４４】
次に、図７に、図２のカラオケ演奏端末における宣伝効果映像再生の他の構成の説明図を示す。図７（Ａ）は追加的な構成部分のブロック図であり、図７（Ｂ）はその処理フローチャートである。図７（Ａ）において、カラオケ演奏端末１３におけるカラオケ装置３０に、別に通常楽曲映像ＤＢ６１を備えさせ、映像抽出処理手段４２に映像選択手段６２を備えさせたものである。
【００４５】
上記通常楽曲映像ＤＢ６１は、例えばハードディスク（ＨＤＤ）等の記憶装置であり、少なくとも、楽曲コードに関連付けられた宣伝アイテムを含まない楽曲映像の通常の背景映像データ（ファイル）を所定数格納するもので、上記楽曲ＤＢ３７との関連からいえば、当該楽曲コードで抽出される楽曲データが再生される際に、同期して背景映像として再生されるものである。
【００４６】
上記映像抽出処理手段４２の映像選択手段６２は、利用者に歌唱中の背景映像として上記宣伝アイテムを含まない通常楽曲映像か上記宣伝効果映像かを選択させるもので、そのためのプログラムを備える。すなわち、映像抽出処理手段４２は、選択された楽曲に対応する楽曲コードにおける利用者が選択した上記通常楽曲映像若しくは上述のように特定された宣伝効果映像を、通常楽曲映像ＤＢ６１又は宣伝効果映像ＤＢ４３より抽出し、背景映像として表示手段４４に表示させるものである。
【００４７】
そこで、図７（Ｂ）において、まず、図５に示すように利用者ＩＤに関する必要な属性情報が映像抽出処理手段４２の利用者属性特定手段５２に記憶されていることを前提として、遠隔入出力端末４８により当該利用者による利用者ＩＤとの関連で楽曲の選択要求があり、楽曲の選択が終了すると（Ｓ２１）、表示させる背景映像として宣伝アイテムを含まない通常の楽曲映像か、宣伝効果映像かを選択させる表示を表示ファイル作成手段３８に作成させて遠隔入出力端末４８に表示させる（Ｓ２２）。
【００４８】
上記選択表示において（Ｓ２３）、利用者が宣伝アイテムを含まない通常の楽曲映像を選択する信号を入力した場合には（Ｓ２４）、予約管理手段３４が当該通常楽曲映像を当該選択された楽曲コードに基づいて通常楽曲映像ＤＢ６１より楽曲名を読み出し、当該通常楽曲映像ファイルと楽曲コード（楽曲名）とを関連付けて記憶する（Ｓ２５）。
【００４９】
一方、上記選択表示において（Ｓ２３）、利用者が宣伝アイテムを組み込ませた宣伝効果映像を選択する信号を入力した場合には（Ｓ２６）、予約管理手段３４が当該宣伝効果映像を当該選択された楽曲コードに基づいて宣伝効果映像ＤＢ４３より楽曲名を読み出し、当該宣伝効果映像ファイルと楽曲コード（楽曲名）とを関連付けて記憶する（Ｓ２７）。
【００５０】
そして、選択された楽曲データの再生の際に、対応の楽曲データを楽曲ＤＢ３７より抽出させて音楽曲出力手段３５及び再生制御手段３６に送出させて再生させると共に、当該再生に同期させて通常楽曲映像ＤＢ６１から抽出した楽曲映像ファイル又は宣伝効果映像ＤＢ４３より抽出した宣伝効果映像のファイルデータ再生制御手段３６に送出させて再生させるものである（Ｓ２８）。
【００５１】
このように、利用者に宣伝アイテムを含まない通常の楽曲映像か宣伝効果映像かを選択させることにより、宣伝効果映像を好まない利用者に対してカラオケ利用の興味を減退させることを防止させることができるものである。一方で、宣伝効果映像が選択された場合には、上記同様に宣伝アイテムの宣伝効果を向上させることができるものである。
【産業上の利用可能性】
【００５２】
本発明のカラオケシステムは、利用者のカラオケによる歌唱の際に選択された宣伝効果映像を表示出力する場合に適する。
【図面の簡単な説明】
【００５３】
【図１】本発明に係るカラオケシステムのネットワーク接続状況の模式図及びカラオケホスト装置のブロック構成図である。
【図２】本発明に係るカラオケシステムにおけるカラオケ演奏端末のブロック構成図である。
【図３】図１のカラオケホスト装置の有する顧客ＤＢの一例の説明図である。
【図４】図２の映像対応テーブルの一例の説明図である。
【図５】図２のカラオケ演奏端末における利用者ＩＤ読み取りの処理フローチャートである。
【図６】図２のカラオケ演奏端末における宣伝効果映像再生の処理フローチャートである。
【図７】図２のカラオケ演奏端末における宣伝効果映像再生の他の構成の説明図である。
【符号の説明】
【００５４】
１１            カラオケホスト装置
１２            通信ネットワーク
１３            カラオケ演奏端末
２４            顧客ＤＢ（データベース）
３０            カラオケ装置
３７            楽曲ＤＢ
４２            映像抽出処理手段
４３            宣伝効果映像ＤＢ
５０            ＩＤ媒体
５２            利用者属性特定手段
５３            映像対応テーブル
５４            映像特定手段
６１            通常楽曲映像ＤＢ
６２            映像選択手段
【図１】
0004489028.tif 000002
【図２】
0004489028.tif 000003
【図３】
0004489028.tif 000004
【図４】
0004489028.tif 000005
【図５】
0004489028.tif 000006
【図６】
0004489028.tif 000007
【図７】
0004489028.tif 000008